(57)【要約】  本発明はページング時間の決定方法及び装置、コンピュータ記憶媒体を開示し、前記方法は、ユーザー装置が前記ユーザー装置の識別子、ページング時間単位の構成パラメータ及び事前設定されたルールに基づき、前記ユーザー装置に対応するページング時間単位を決定することを含み、前記ページング時間単位が少なくとも第１タイプページング時間単位及び第２タイプページング時間単位を含み、異なるタイプのページング時間単位に対応する事前設定されたルールが異なる。
2021511692.tif 000002
【特許請求の範囲】
【請求項１】
ページング時間の決定方法であって、
ユーザー装置が前記ユーザー装置の識別子、ページング時間単位の構成パラメータ及び事前設定されたルールに基づき、前記ユーザー装置に対応するページング時間単位を決定することを含み、
前記ページング時間単位が少なくとも第１タイプページング時間単位及び第２タイプページング時間単位を含み、異なるタイプのページング時間単位に対応する事前設定されたルールが異なる、前記ページング時間の決定方法。
【請求項２】
前記異なる事前設定されたルールは、前記ユーザー装置が異なるタイプのページング時間単位に不均一に分布することを満足する
請求項１に記載の方法。
【請求項３】
前記第１タイプページング時間単位が第１時間周波数リソースタイプに対応し、前記第２タイプページング時間単位が第２時間周波数リソースタイプに対応する
請求項１に記載の方法。
【請求項４】
前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号ブロック（ＳＳ  ｂｌｏｃｋ）の時間周波数リソースの多重化方式と前記第２時間周波数リソースタイプ及びＳＳ  ｂｌｏｃｋの時間周波数リソースの多重化方式とが異なる
請求項３に記載の方法。
【請求項５】
前記第１タイプページング時間単位が第１時間周波数リソースタイプに対応することは、
ＳＳ  ｂｌｏｃｋを送信する公称リソース（ｎｏｍｉｎａｌ  ｒｅｓｏｕｒｃｅ）の位置するシンボルにおいて、第１タイプページング時間単位に対応する時間周波数リソースと前記ｎｏｍｉｎａｌ  ｒｅｓｏｕｒｃｅとが周波数分割されることを含む
請求項３又は４に記載の方法。
【請求項６】
前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む
請求項３又は４に記載の方法。
【請求項７】
前記ページング時間単位がページング時点（ＰＯ）又はＰＯのうちの一部の時間単位を含む
請求項１〜６のいずれか１項に記載の方法。
【請求項８】
前記ページング時間単位の構成パラメータは、異なるタイプのページング時間単位での前記ユーザー装置の分布パラメータ、１つの伝送周期に含まれる異なる時間周波数リソースタイプに対応するページング時間単位の個数のうちの少なくとも１つを含む
請求項３〜７のいずれか１項に記載の方法。
【請求項９】
前記方法は、更に、
前記ユーザー装置がネットワークから前記ページング時間単位の構成パラメータを取得することを含む
請求項８に記載の方法。
【請求項１０】
ページング時間の決定方法であって、
ネットワークがユーザー装置の識別子、ページング時間単位の構成パラメータ及び事前設定されたルールに基づき、前記ユーザー装置に対応するページング時間単位を決定することであって、前記ページング時間単位が少なくとも第１タイプページング時間単位及び第２タイプページング時間単位を含み、異なるタイプのページング時間単位に対応する事前設定されたルールが異なることと、
前記ネットワークが前記ページング時間単位に基づいてページングメッセージを送信することと、を含む、前記ページング時間の決定方法。
【請求項１１】
異なる事前設定されたルールは前記ユーザー装置が異なるタイプのページング時間単位に不均一に分布することを満足する
請求項１０に記載の方法。
【請求項１２】
前記第１タイプページング時間単位が第１時間周波数リソースタイプに対応し、前記第２タイプページング時間単位が第２時間周波数リソースタイプに対応する
請求項１０に記載の方法。
【請求項１３】
前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号ブロック（ＳＳ  ｂｌｏｃｋ）の時間周波数リソースの多重化方式と前記第２時間周波数リソースタイプ及びＳＳ  ｂｌｏｃｋの時間周波数リソースの多重化方式とが異なる
請求項１２に記載の方法。
【請求項１４】
前記第１タイプページング時間単位が第１時間周波数リソースタイプに対応することは、
ＳＳ  ｂｌｏｃｋを送信する公称リソース（ｎｏｍｉｎａｌ  ｒｅｓｏｕｒｃｅ）の位置するシンボルにおいて、第１タイプページング時間単位に対応する時間周波数リソースと前記ｎｏｍｉｎａｌ  ｒｅｓｏｕｒｃｅとが周波数分割されることを含む
請求項１２又は１３に記載の方法。
【請求項１５】
前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む
請求項１２又は１３に記載の方法。
【請求項１６】
前記ページング時間単位がページング時点（ＰＯ）又はＰＯのうちの一部の時間単位を含む
請求項１０〜１５のいずれか１項に記載の方法。
【請求項１７】
前記ページング時間単位の構成パラメータは、異なるタイプのページング時間単位での前記ユーザー装置の分布パラメータ、１つの伝送周期に含まれる異なる時間周波数リソースタイプに対応するページング時間単位の個数のうちの少なくとも１つを含む
請求項１２〜１６のいずれか１項に記載の方法。
【請求項１８】
前記方法は、更に、
前記ネットワークが前記ページング時間単位の構成パラメータを前記ユーザー装置に通知することを含む
請求項１７に記載の方法。
【請求項１９】
ページング時間の決定装置であって、
前記ユーザー装置の識別子、ページング時間単位の構成パラメータ及び事前設定されたルールに基づき、前記ユーザー装置に対応するページング時間単位を決定するように構成される決定ユニットを備え、
前記ページング時間単位が少なくとも第１タイプページング時間単位及び第２タイプページング時間単位を含み、異なるタイプのページング時間単位に対応する事前設定されたルールが異なる、前記ページング時間の決定装置。
【請求項２０】
異なる事前設定されたルールは前記ユーザー装置が異なるタイプのページング時間単位に不均一に分布することを満足する
請求項１９に記載の装置。
【請求項２１】
前記第１タイプページング時間単位が第１時間周波数リソースタイプに対応し、前記第２タイプページング時間単位が第２時間周波数リソースタイプに対応する
請求項１９に記載の装置。
【請求項２２】
前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号ブロック（ＳＳ  ｂｌｏｃｋ）の時間周波数リソースの多重化方式と前記第２時間周波数リソースタイプ及びＳＳ  ｂｌｏｃｋの時間周波数リソースの多重化方式とが異なる
請求項２１に記載の装置。
【請求項２３】
前記第１タイプページング時間単位が第１時間周波数リソースタイプに対応することは、
ＳＳ  ｂｌｏｃｋを送信する公称リソース（ｎｏｍｉｎａｌ  ｒｅｓｏｕｒｃｅ）の位置するシンボルにおいて、第１タイプページング時間単位に対応する時間周波数リソースと前記ｎｏｍｉｎａｌ  ｒｅｓｏｕｒｃｅとが周波数分割されることを含む
請求項２１又は２２に記載の装置。
【請求項２４】
前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む
請求項２１又は２２に記載の装置。
【請求項２５】
前記ページング時間単位がページング時点（ＰＯ）又はＰＯのうちの一部の時間単位を含む
請求項１９〜２４のいずれか１項に記載の装置。
【請求項２６】
前記ページング時間単位の構成パラメータは、異なるタイプのページング時間単位での前記ユーザー装置の分布パラメータ、１つの伝送周期に含まれる異なる時間周波数リソースタイプに対応するページング時間単位の個数のうちの少なくとも１つを含む
請求項２１〜２５のいずれか１項に記載の装置。
【請求項２７】
前記装置は、更に、
ネットワークから前記ページング時間単位の構成パラメータを取得するように構成される取得ユニットを備える
請求項２６に記載の装置。
【請求項２８】
ページング時間の決定装置であって、
ユーザー装置の識別子、ページング時間単位の構成パラメータ及び事前設定されたルールに基づき、前記ユーザー装置に対応するページング時間単位を決定するように構成される決定ユニットであって、前記ページング時間単位が少なくとも第１タイプページング時間単位及び第２タイプページング時間単位を含み、異なるタイプのページング時間単位に対応する事前設定されたルールが異なる決定ユニットと、
前記ページング時間単位に基づいてページングメッセージを送信するように構成される送信ユニットと、を備える、前記ページング時間の決定装置。
【請求項２９】
異なる事前設定されたルールは前記ユーザー装置が異なるタイプのページング時間単位に不均一に分布することを満足する
請求項２８に記載の装置。
【請求項３０】
前記第１タイプページング時間単位が第１時間周波数リソースタイプに対応し、前記第２タイプページング時間単位が第２時間周波数リソースタイプに対応する
請求項２８に記載の装置。
【請求項３１】
前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号ブロック（ＳＳ  ｂｌｏｃｋ）の時間周波数リソースの多重化方式と前記第２時間周波数リソースタイプ及びＳＳ  ｂｌｏｃｋの時間周波数リソースの多重化方式とが異なる
請求項３０に記載の装置。
【請求項３２】
前記第１タイプページング時間単位が第１時間周波数リソースタイプに対応することは、
ＳＳ  ｂｌｏｃｋを送信する公称リソース（ｎｏｍｉｎａｌ  ｒｅｓｏｕｒｃｅ）の位置するシンボルにおいて、第１タイプページング時間単位に対応する時間周波数リソースと前記ｎｏｍｉｎａｌ  ｒｅｓｏｕｒｃｅとが周波数分割されることを含む
請求項３０又は３１に記載の装置。
【請求項３３】
前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む
請求項３０又は３１に記載の装置。
【請求項３４】
前記ページング時間単位がページング時点（ＰＯ）又はＰＯのうちの一部の時間単位を含む
請求項２８〜３３のいずれか１項に記載の装置。
【請求項３５】
前記ページング時間単位の構成パラメータは、異なるタイプのページング時間単位での前記ユーザー装置の分布パラメータ、１つの伝送周期に含まれる異なる時間周波数リソースタイプに対応するページング時間単位の個数のうちの少なくとも１つを含む
請求項３０〜３４のいずれか１項に記載の装置。
【請求項３６】
前記装置は、更に、
前記ページング時間単位の構成パラメータを前記ユーザー装置に通知するように構成される通知ユニットを備える
請求項３５に記載の装置。
【請求項３７】
コンピュータ実行可能命令が記憶されるコンピュータ記憶媒体であって、
前記コンピュータ実行可能命令がプロセッサにより実行されるとき、請求項１〜９のいずれか１項に記載の方法のステップ又は請求項１０〜１８のいずれか１項に記載の方法のステップを実現する、前記コンピュータ記憶媒体。
【発明の詳細な説明】
【技術分野】
【０００１】
本発明は無線通信技術分野に関し、特にページング時間の決定方法及び装置、コンピュータ記憶媒体に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、ネットワークはアイドル（ｉｄｌｅ）状態にあるユーザー装置（ＵＥ：Ｕｓｅｒ  Ｅｑｕｉｐｍｅｎｔ）及び接続（Ｃｏｎｎｅｃｔｉｏｎ）状態にあるＵＥへページングを送信してもよい。ＵＥについては、ＵＥが１つの不連続な受信（ＤＲＸ：Ｄｉｓｃｏｎｔｉｎｕｏｕｓ  Ｒｅｃｅｐｔｉｏｎ）周期におけるページングフレーム（ＰＦ：Ｐａｇｉｎｇ  Ｆｒａｍｅ）のページング時間単位においてページングメッセージを受信する。
【０００３】
ＵＥはそのＵＥ＿ＩＤに基づき、１つのＤＲＸ周期におけるそのページング時間単位の位置を決定し、更にページングメッセージを受信する。ところが、ＵＥ＿ＩＤは異なるページング時間単位において均一に分布しており、いくつかのシーン、例えばページング時間単位が異なる時間周波数リソースタイプを有するシーンにおいて、ページングリソースを別々に割り当てることができなくなる。
【発明の概要】
【発明が解決しようとする課題】
【０００４】
上記技術的問題を解決するために、本発明の実施例はページング時点の決定方法及び装置、コンピュータ記憶媒体を提供する。
【課題を解決するための手段】
【０００５】
本発明の実施例に係るページング時間の決定方法であって、
ユーザー装置が前記ユーザー装置の識別子、ページング時間単位の構成パラメータ及び事前設定されたルールに基づき、前記ユーザー装置に対応するページング時間単位を決定することを含み、
前記ページング時間単位が少なくとも第１タイプページング時間単位及び第２タイプページング時間単位を含み、異なるタイプのページング時間単位に対応する事前設定されたルールが異なる。
【０００６】
本発明の実施例では、異なる事前設定されたルールは前記ユーザー装置が異なるタイプのページング時間単位に不均一に分布することを満足する。
【０００７】
本発明の実施例では、前記第１タイプページング時間単位が第１時間周波数リソースタイプに対応し、前記第２タイプページング時間単位が第２時間周波数リソースタイプに対応する。
【０００８】
本発明の実施例では、前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号（ＳＳ：Ｓｙｎｃｈｒｏｎｉｚａｔｉｏｎ  Ｓｉｇｎａｌ）ブロック（ｂｌｏｃｋ）の時間周波数リソースの多重化方式と前記第２時間周波数リソースタイプ及びＳＳ  ｂｌｏｃｋの時間周波数リソースの多重化方式とが異なる。
【０００９】
本発明の実施例では、前記第１タイプページング時間単位が第１時間周波数リソースタイプに対応することは、
ＳＳ  ｂｌｏｃｋを送信する公称リソース（ｎｏｍｉｎａｌ  ｒｅｓｏｕｒｃｅ）の位置するシンボルにおいて、第１タイプページング時間単位に対応する時間周波数リソースと前記ｎｏｍｉｎａｌ  ｒｅｓｏｕｒｃｅとが周波数分割されることを含む。
【００１０】
本発明の実施例では、前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む。
【００１１】
本発明の実施例では、前記ページング時間単位がページング時点（ＰＯ：Ｐａｇｉｎｇ  Ｏｃｃａｓｉｏｎ）又はＰＯのうちの一部の時間単位を含む。
【００１２】
本発明の実施例では、前記ページング時間単位の構成パラメータは異なるタイプのページング時間単位での前記ユーザー装置の分布パラメータ、１つの伝送周期に含まれる異なる時間周波数リソースタイプに対応するページング時間単位の個数のうちの少なくとも１つを含む。
【００１３】
本発明の実施例では、前記方法は、更に、
前記ユーザー装置がネットワークから前記ページング時間単位の構成パラメータを取得することを含む。
【００１４】
本発明の実施例に係るページング時間の決定方法であって、
ネットワークがユーザー装置の識別子、ページング時間単位の構成パラメータ及び事前設定されたルールに基づき、前記ユーザー装置に対応するページング時間単位を決定することであって、前記ページング時間単位が少なくとも第１タイプページング時間単位及び第２タイプページング時間単位を含み、異なるタイプのページング時間単位に対応する事前設定されたルールが異なることと、
前記ネットワークが前記ページング時間単位に基づいてページングメッセージを送信することと、を含む。
【００１５】
本発明の実施例では、異なる事前設定されたルールは前記ユーザー装置が異なるタイプのページング時間単位に不均一に分布することを満足する。
【００１６】
本発明の実施例では、前記第１タイプページング時間単位が第１時間周波数リソースタイプに対応し、前記第２タイプページング時間単位が第２時間周波数リソースタイプに対応する。
【００１７】
本発明の実施例では、前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及びＳＳ  ｂｌｏｃｋの時間周波数リソースの多重化方式と前記第２時間周波数リソースタイプ及びＳＳ  ｂｌｏｃｋの時間周波数リソースの多重化方式とが異なる。
【００１８】
本発明の実施例では、前記第１タイプページング時間単位が第１時間周波数リソースタイプに対応することは、
ＳＳ  ｂｌｏｃｋを送信するｎｏｍｉｎａｌ  ｒｅｓｏｕｒｃｅの位置するシンボルにおいて、第１タイプページング時間単位に対応する時間周波数リソースと前記ｎｏｍｉｎａｌ  ｒｅｓｏｕｒｃｅとが周波数分割されることを含む。
【００１９】
本発明の実施例では、前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む。
【００２０】
本発明の実施例では、前記ページング時間単位がＰＯ又はＰＯのうちの一部の時間単位を含む。
【００２１】
本発明の実施例では、前記ページング時間単位の構成パラメータは異なるタイプのページング時間単位での前記ユーザー装置の分布パラメータ、１つの伝送周期に含まれる異なる時間周波数リソースタイプに対応するページング時間単位の個数のうちの少なくとも１つを含む。
【００２２】
本発明の実施例では、前記方法は、更に、
前記ネットワークが前記ページング時間単位の構成パラメータを前記ユーザー装置に通知することを含む。
【００２３】
本発明の実施例に係るページング時間の決定装置であって、
前記ユーザー装置の識別子、ページング時間単位の構成パラメータ及び事前設定されたルールに基づき、前記ユーザー装置に対応するページング時間単位を決定するように構成される決定ユニットを備え、
前記ページング時間単位が少なくとも第１タイプページング時間単位及び第２タイプページング時間単位を含み、異なるタイプのページング時間単位に対応する事前設定されたルールが異なる。
【００２４】
本発明の実施例では、異なる事前設定されたルールは前記ユーザー装置が異なるタイプのページング時間単位に不均一に分布することを満足する。
【００２５】
本発明の実施例では、前記第１タイプページング時間単位が第１時間周波数リソースタイプに対応し、前記第２タイプページング時間単位が第２時間周波数リソースタイプに対応する。
【００２６】
本発明の実施例では、前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及びＳＳ  ｂｌｏｃｋの時間周波数リソースの多重化方式と前記第２時間周波数リソースタイプ及びＳＳ  ｂｌｏｃｋの時間周波数リソースの多重化方式とが異なる。
【００２７】
本発明の実施例では、前記第１タイプページング時間単位が第１時間周波数リソースタイプに対応することは、
ＳＳ  ｂｌｏｃｋを送信するｎｏｍｉｎａｌ  ｒｅｓｏｕｒｃｅの位置するシンボルにおいて、第１タイプページング時間単位に対応する時間周波数リソースと前記ｎｏｍｉｎａｌ  ｒｅｓｏｕｒｃｅとが周波数分割されることを含む。
【００２８】
本発明の実施例では、前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む。
【００２９】
本発明の実施例では、前記ページング時間単位がＰＯ又はＰＯのうちの一部の時間単位を含む。
【００３０】
本発明の実施例では、前記ページング時間単位の構成パラメータは異なるタイプのページング時間単位での前記ユーザー装置の分布パラメータ、１つの伝送周期に含まれる異なる時間周波数リソースタイプに対応するページング時間単位の個数のうちの少なくとも１つを含む。
【００３１】
本発明の実施例では、前記装置は、更に、
ネットワークから前記ページング時間単位の構成パラメータを取得するように構成される取得ユニットを備える。
【００３２】
本発明の実施例に係るページング時間の決定装置であって、
ユーザー装置の識別子、ページング時間単位の構成パラメータ及び事前設定されたルールに基づき、前記ユーザー装置に対応するページング時間単位を決定するように構成され、前記ページング時間単位が少なくとも第１タイプページング時間単位及び第２タイプページング時間単位を含み、異なるタイプのページング時間単位に対応する事前設定されたルールが異なる決定ユニットと、
前記ページング時間単位に基づいてページングメッセージを送信するように構成される送信ユニットと、を備える。
【００３３】
本発明の実施例では、異なる事前設定されたルールは前記ユーザー装置が異なるタイプのページング時間単位に不均一に分布することを満足する。
【００３４】
本発明の実施例では、前記第１タイプページング時間単位が第１時間周波数リソースタイプに対応し、前記第２タイプページング時間単位が第２時間周波数リソースタイプに対応する。
【００３５】
本発明の実施例では、前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及びＳＳ  ｂｌｏｃｋの時間周波数リソースの多重化方式と前記第２時間周波数リソースタイプ及びＳＳ  ｂｌｏｃｋの時間周波数リソースの多重化方式とが異なる。
【００３６】
本発明の実施例では、前記第１タイプページング時間単位が第１時間周波数リソースタイプに対応することは、
ＳＳ  ｂｌｏｃｋを送信するｎｏｍｉｎａｌ  ｒｅｓｏｕｒｃｅの位置するシンボルにおいて、第１タイプページング時間単位に対応する時間周波数リソースと前記ｎｏｍｉｎａｌ  ｒｅｓｏｕｒｃｅとが周波数分割されることを含む。
【００３７】
本発明の実施例では、前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む。
【００３８】
本発明の実施例では、前記ページング時間単位がＰＯ又はＰＯのうちの一部の時間単位を含む。
【００３９】
本発明の実施例では、前記ページング時間単位の構成パラメータは異なるタイプのページング時間単位での前記ユーザー装置の分布パラメータ、１つの伝送周期に含まれる異なる時間周波数リソースタイプに対応するページング時間単位の個数のうちの少なくとも１つを含む。
【００４０】
本発明の実施例では、前記装置は、更に、
前記ページング時間単位の構成パラメータを前記ユーザー装置に通知するように構成される通知ユニットを備える。
【００４１】
本発明の実施例に係るコンピュータ記憶媒体であって、該コンピュータ記憶媒体にコンピュータ実行可能命令が記憶され、該コンピュータ実行可能命令がプロセッサにより実行されるとき、上記ページング時間の決定方法を実現する。
【発明の効果】
【００４２】
本発明の実施例の技術案では、ユーザー装置が前記ユーザー装置の識別子、ページング時間単位の構成パラメータ及び事前設定されたルールに基づき、前記ユーザー装置に対応するページング時間単位を決定し、前記ページング時間単位が少なくとも第１タイプページング時間単位及び第２タイプページング時間単位を含み、異なるタイプのページング時間単位に対応する事前設定されたルールが異なり、異なる事前設定されたルールは前記ユーザー装置が異なるタイプのページング時間単位に不均一に分布することを満足する。本発明の実施例の技術案を採用することにより、ユーザー装置が異なる時間周波数リソースタイプのページング時間単位に不均一に分布することが許容され、ページングリソースを活用してページングメッセージを送信する。それと同時に、いくつかのページング時間単位においてより多くの数のＵＥをページングすることがサポートされ、必要なページング時間単位の個数を減少させることができ、それによりページングメッセージのオーバーヘッドを減少させる。
【図面の簡単な説明】
【００４３】
【図１】図１は基地局がビームを介して無線信号を送信する模式図である。
【図２】図２はＳＳ  ｂｌｏｃｋの模式図である。
【図３】図３は異なるサブキャリア間隔及び周波数帯におけるスロットの分布図である。
【図４】図４は異なるサブキャリア間隔におけるＳＳ  ｂｏｃｋの分布図である。
【図５】図５はＳＳ  ｂｌｏｃｋの位置する予め定義された時間周波数リソースのｓｌｏｔでの位置分布図である。
【図６】図６はＰＦ及びＰＯの分布図である。
【図７】図７はＰＯの時間周波数リソースの分布図である。
【図８】図８は本発明の実施例のページング時間の決定方法のフローチャート１である。
【図９】図９は本発明の実施例のページング時間の決定装置の構造模式図１である。
【図１０】図１０は本発明の実施例のページング時間の決定方法のフローチャート２である。
【図１１】図１１は本発明の実施例のページング時間の決定装置の構造模式図２である。
【図１２】図１２は本発明の実施例のユーザー装置の構造模式図である。
【発明を実施するための形態】
【００４４】
ここで説明される図面は本発明を更に理解するためのものであって、本願の一部となり、本発明の模式的な実施例及びその説明は本発明を解釈するためのものであって、本発明を不適切に制限するためのものではない。
【００４５】
本発明の実施例の技術案を理解しやすくするために、以下に本発明の実施例に関わる主要技術を解釈・説明する。
【００４６】
１）５Ｇにおけるビーム
５Ｇシステムの用いた周波数帯がＬＴＥシステムより高いため、５Ｇシステムにおける無線信号を伝送する経路損失がＬＴＥシステムより大きく、５Ｇシステムの無線信号のカバレッジ範囲が狭くなる。このため、５Ｇシステムにおいて、基地局のマルチアンテナシステムはビームフォーミング（ｂｅａｍｆｏｒｍｉｎｇ）技術でビームを形成することにより無線信号のゲインを向上させ、これにより経路損失を補う。ビームフォーミング技術において、ビームが指向性を有し、１つの狭いビームがセルの領域の一部しかカバレッジできず、セルの領域全体をカバレッジできない。図１に示すように、基地局は４つの異なる方向のビーム（Ｂ１，Ｂ２，Ｂ３，Ｂ４）を介して信号を送信してもよく、ビームＢ２がＵＥ１しかカバレッジできず、ＵＥ２をカバレッジできない。
【００４７】
２）５Ｇにおける同期信号ブロック（ＳＳ  ｂｌｏｃｋ：Ｓｙｎｃｈｒｏｎｉｚａｔｉｏｎ  Ｓｉｇｎａｌ  ｂｌｏｃｋ）
セル内のＵＥが信号を受信できるよう、５Ｇシステムにおける共通チャネル及び共通信号、例えば放送チャネル及び同期信号はマルチビーム走査方式でセル全体をカバレッジする必要がある。同期信号については、そのマルチビームの送信は同期信号バースト集合（ＳＳ  ｂｕｒｓｔ  ｓｅｔ）を定義することで実現される。１つのＳＳ  ｂｕｒｓｔ  ｓｅｔは１つ又は複数の同期信号バースト（ＳＳ  ｂｕｒｓｔ）を含み、１つのＳＳ  ｂｕｒｓｔは１つ又は複数のＳＳ  ｂｌｏｃｋ（ＳＳＢと略称されてもよい）を含む。１つのＳＳ  ｂｌｏｃｋは１つのビームの同期信号及び放送チャネルを搬送することに用いられ、従って、１つのＳＳ  ｂｕｒｓｔ  ｓｅｔはセル範囲内のＳＳ  ｂｌｏｃｋ数（ＳＳ  ｂｌｏｃｋ  ｎｕｍｂｅｒ）個のビームの同期信号を含んでもよい。図２に示すように、１つのＳＳ  ｂｌｏｃｋには１つのシンボルのプライマリ同期信号（ＰＳＳ：Ｐｒｉｍａｒｙ  Ｓｙｎｃｈｒｏｎｉｚａｔｉｏｎ  Ｓｉｇｎａｌ）、１つのシンボルのセカンダリ同期信号（ＳＳＳ：Ｓｅｃｏｎｄａｒｙ  Ｓｙｎｃｈｒｏｎｉｚａｔｉｏｎ  Ｓｉｇｎａｌ）及び２つのシンボルの物理放送チャネル（ＰＢＣＨ：Ｐｈｙｓｉｃａｌ  Ｂｒｏａｄｃａｓｔ  Ｃｈａｎｎｅｌ）が含まれる。
【００４８】
１つのＳＳ  ｂｕｒｓｔ  ｓｅｔに含まれるＳＳ  ｂｌｏｃｋの数Ｌはシステムの周波数帯によって決定され、例えば、
３ＧＨｚの周波数帯に対して、Ｌが４であり、
３ＧＨｚ〜６ＧＨｚの周波数帯に対して、Ｌが８であり、
６ＧＨｚ〜５２．６ＧＨｚの周波数帯に対して、Ｌが６４である。
【００４９】
ＳＳ  ｂｕｒｓｔ  ｓｅｔに対して、その送信周期が設定されてもよく、一例では、１つの周期におけるＳＳ  ｂｕｒｓｔ  ｓｅｔが５ｍｓの時間帯内に送信される。なお、システムのサブキャリア間隔（ＳＣＳ：Ｓｕｂｃａｒｒｉｅｒ  Ｓｐａｃｉｎｇ）も設定されてもよく、異なるサブキャリア間隔及び周波数帯におけるスロット分布は図３に示されるとおりであり、図３には、上から下まで、
１５ＫＨｚ  ＳＣＳであってＬ＝４（３ＧＨｚに対応する周波数帯）におけるＳＳ  ｂｕｒｓｔ  ｓｅｔのスロット分布、
１５ＫＨｚ  ＳＣＳであってＬ＝８（３ＧＨｚ〜６ＧＨｚに対応する周波数帯）におけるＳＳ  ｂｕｒｓｔ  ｓｅｔのスロット分布、
３０ＫＨｚ  ＳＣＳであってＬ＝４（３ＧＨｚに対応する周波数帯）におけるＳＳ  ｂｕｒｓｔ  ｓｅｔのスロット分布、
３０ＫＨｚ  ＳＣＳであってＬ＝８（３ＧＨｚ〜６ＧＨｚに対応する周波数帯）におけるＳＳ  ｂｕｒｓｔ  ｓｅｔのスロット分布、
１２０ＫＨｚ  ＳＣＳであってＬ＝６４（６ＧＨｚ〜５２．６ＧＨｚに対応する周波数帯）におけるＳＳ  ｂｕｒｓｔ  ｓｅｔのスロット分布、
２４０ＫＨｚ  ＳＣＳであってＬ＝６４（６ＧＨｚ〜５２．６ＧＨｚに対応する周波数帯）におけるＳＳ  ｂｕｒｓｔ  ｓｅｔのスロット分布をそれぞれ示す。
【００５０】
更に、１つのスロット（ｓｌｏｔ）内のＳＳ  ｂｌｏｃｋの分布については、１つのスロットが１４個のシンボル（ｓｙｍｂｏｌ）を含み、多くとも２つのＳＳ  ｂｌｏｃｋを搬送できる。異なるサブキャリア間隔におけるＳＳ  ｂｏｃｋの分布は図４に示されるとおりであり、図４には、上から下まで、
１５ＫＨｚ  ＳＣＳにおける１つのスロット内のＳＳ  ｂｌｏｃｋの分布、
３０ＫＨｚ  ＳＣＳにおける１つのスロット内のＳＳ  ｂｌｏｃｋの分布１、
３０ＫＨｚ  ＳＣＳにおける１つのスロット内のＳＳ  ｂｌｏｃｋの分布２、
１２０ＫＨｚ  ＳＣＳにおける１つのスロット内のＳＳ  ｂｌｏｃｋの分布、
２４０ＫＨｚ  ＳＣＳにおける１つのスロット内のＳＳ  ｂｌｏｃｋの分布をそれぞれ示す。
【００５１】
上記技術案では、ＳＳ  ｂｌｏｃｋの数Ｌがシステムの周波数帯によって決定されるが、ＬがＳＳ  ｂｌｏｃｋに対応する最大数に過ぎず、ネットワークが実際に送信したＳＳ  ｂｌｏｃｋの個数がＬより小さい可能性があり、ＵＥがレートマッチングを行うよう、ネットワークが実際に送信したＳＳ  ｂｌｏｃｋの個数をＵＥに示す必要があり、ＳＳ  ｂｌｏｃｋを送信しない時間周波数リソース位置が他のチャネル、例えば物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）による伝送に使用されてもよい。ここで、ネットワークが実際に送信したＳＳ  ｂｌｏｃｋの情報がＲＭＳＩで示される。
【００５２】
ＳＳ  ｂｌｏｃｋの位置する予め定義された時間周波数リソースのｓｌｏｔでの位置分布は図５に示されるが、ＳＳ  ｂｌｏｃｋの周期が異なって、実際に送信したＳＳ  ｂｌｏｃｋが異なるため、予め定義された時間周波数リソースにおいて必ずしもＳＳ  ｂｌｏｃｋを送信するとは限らず、従って、これらの予め定義された時間周波数リソースがＳＳ  ｂｌｏｃｋの公称リソース（ｎｏｍｉｎａｌ  ｒｅｓｏｕｒｃｅ）と呼ばれる。
【００５３】
３）ＬＴＥのページング
ＬＴＥシステムにおいて、ネットワークはアイドル（ｉｄｌｅ）状態にあるＵＥ及び接続（Ｃｏｎｎｅｃｔｉｏｎ）状態にあるＵＥへページングを送信してもよい。ページング過程はコアネットワークによりトリガーされてもよく、基地局によりトリガーされてもよく、ｉｄｌｅ状態にあるＵＥへページング要求を送信することに用いられ、又はシステム情報を更新することをＵＥに通知することに用いられ、又は地震津波警報情報（ＥＴＷＳ）及び商用移動警報サービス（ＣＭＡＳ）等の情報を受信することをＵＥに通知することに用いられる。基地局はコアネットワークのページングメッセージを受信した後、ページングメッセージを解析して、ＵＥの位置登録エリア識別子リスト（ＴＡ  ｌｉｓｔ：Ｔｒａｃｋｉｎｇ  Ａｒｅａ  Ｉｄｅｎｔｉｔｙ  ｌｉｓｔ）を取得して、ＴＡ  ｌｉｓｔにおける位置登録エリアに属するセルに対して無線インターフェースページングを行う。更に、基地局はコアネットワークのページングメッセージを受信した後、同じＰＯのページングメッセージを１つのページングメッセージにまとめて、ページングチャネルを介して関連ＵＥに伝送する。ＵＥはシステムメッセージによってページングパラメータを受信し、その国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）と組み合わせてＰＯを計算し、ＰＯに基づいて対応する時間でページングメッセージを受信する。ここで、ページングメッセージがＰＤＳＣＨにより搬送され、ＵＥは検出用Ｐ−ＲＮＴＩのスクランブルした物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を介してページング指示情報を取得することにより、ＰＤＳＣＨを介してページングメッセージを受信する。更に、Ｉｄｌｅ状態にあるＵＥはＤＲＸ方式で節電し、ＵＥはＳＩＢ２からＤＲＸ関連情報を取得し、１つのＤＲＸ周期におけるＰＦのＰＯにおいてＰ−ＲＮＴＩのスクランブルしたＰＤＣＣＨを監視してページングメッセージを受信する。
【００５４】
上記技術案では、ＰＦはページングメッセージがどのシステムフレーム番号に表示されるかを示し、ＰＯはページングメッセージが表示可能なサブフレーム時刻を示す。１つのＰＦフレームは１つ又は複数のＰＯサブフレームを含む可能性があり、各ＤＲＸ周期又はページング周期（Ｐａｇｉｎｇ  Ｃｙｃｌｅ）において、ＵＥがそのＰＯサブフレームを監視すればよく、ＰＦ及びＰＯの分布は図６に示される。ＳＦＮ  ｍｏｄ  Ｔ＝（Ｔ  ｄｉｖ  Ｎ）×（ＵＥ＿ＩＤ  ｍｏｄ  Ｎ）公式を満足するシステムフレーム番号（ＳＦＮ）は１つのＰＦフレームとされてもよく、
ＴがＵＥのＤＲＸ周期又はページング周期を示す。ＳＩＢ２に含まれるデフォルトのページング周期がＴ＿ｓｉｂと記される場合、ＵＥのＤＲＸ値Ｔ＿ｕｅを設定すれば、Ｔ＝ｍｉｎ（Ｔ＿ｕｅ，Ｔ＿ｓｉｂ）はＴ＿ｕｅとＴ＿ｓｉｂのうちの小さい値を取ることを示し、Ｔ＿ｕｅを設定しない場合、Ｔ＝Ｔ＿ｓｉｂである。ＵＥ＿ＩＤ＝（ＩＭＳＩ  ｍｏｄ  １０２４）はすべてのＩＭＳＩを１０２４個のＵＥグループに分け、ＩＭＳＩが各ユーザーにとって唯一である。Ｎ＝ｍｉｎ（Ｔ，ｎＢ）はＴとｎＢとのうちの小さい値を取ることを示し、パラメータｎＢがページング密度を示し、ｎＢはＳＩＢ２に含まれており、値範囲が｛４Ｔ，２Ｔ，Ｔ，Ｔ／２，Ｔ／４，Ｔ／８，Ｔ／１６，Ｔ／３２｝であり、従って、Ｎの値範囲が｛Ｔ，Ｔ／２，Ｔ／４，Ｔ／８，Ｔ／１６，Ｔ／３２｝であり、実際に、Ｎは各周期内にいくつのＰＦが含まれるかを示す。
【００５５】
ＰＯサブフレームの位置はＬＴＥシステムタイプ（ＦＤＤ又はＴＤＤ）、パラメータＮｓ及びｉ＿ｓによって決定され、Ｎｓは各ＰＦにいくつのページングサブフレームが含まれるかを示し、ｉ＿ｓがページングサブフレームのインデックスを示し、Ｎｓ＝ｍａｘ（１，ｎＢ／Ｔ）、ｉ＿ｓ＝ｆｌｏｏｒ（ＵＥ＿ＩＤ／Ｎ）ｍｏｄ  Ｎｓである。表１、表２に示すように、Ｎｓの値が１、２、４の３つの値しかなく、例えば現在ＬＴＥ−ＦＤＤシステムであって、Ｎｓ＝４の場合、ｉ＿ｓ＝０であれば、ＰＯ＝０であり、ページングメッセージが０番目のサブフレームにおいて送信されることとなり、ｉ＿ｓ＝２の場合、ＰＯ＝５であり、ページングメッセージが５番目のサブフレームにおいて送信されることとなる。最終的に、ＵＥはセル内のＰＯ及びそのＵＥ＿ＩＤに基づき、１つの周期におけるそのＰＯの位置を決定する。このような方法によって、ＵＥが異なるＰＯに均一に区分される。
【表１】
2021511692.tif 000003
【００５６】
４）５Ｇのページング
５Ｇにおける１つのＰＯの時間周波数リソースに対する定義については、１種類の定義はＳＳ  ｂｌｏｃｋに対応するｎｏｍｉｎａｌ  ｒｅｓｏｕｒｃｅがＰＯにページングメッセージの時間周波数リソースを含ませることに用いられる。図７に示すように、ＳＳ  ｂｌｏｃｋを実際に送信するｎｏｍｉｎａｌ  ｒｅｓｏｕｒｃｅの位置するシンボルにおいて、ＰＯに対応する時間周波数リソースとｎｏｍｉｎａｌ  ｒｅｓｏｕｒｃｅに対応する時間周波数リソースとが周波数分割され、このようなＰＯに対応する時間周波数リソースタイプが第１時間周波数リソースタイプと呼ばれ、ＳＳ  ｂｌｏｃｋを送信しないｎｏｍｉｎａｌ  ｒｅｓｏｕｒｃｅの位置するシンボルにおいて、ＰＯに対応する時間周波数リソースがｎｏｍｉｎａｌ  ｒｅｓｏｕｒｃｅに対応する時間周波数リソースを含んでもよく、このようなＰＯに対応する時間周波数リソースタイプが第２時間周波数リソースタイプと呼ばれる。
【００５７】
図７におけるＰＯの２種類の時間周波数リソースタイプはその時間周波数リソースのサイズが異なるため、ページングメッセージの搬送能力も異なる。特に第１種類の時間周波数リソースタイプはＰＯに対応する時間周波数リソースとｎｏｍｉｎａｌ  ｒｅｓｏｕｒｃｅに対応する時間周波数リソースとが周波数分割されるだけでなく、総帯域幅がＵＥの最小帯域幅能力を満足する必要があるため、ページングメッセージを搬送するための帯域幅が制限される。同時に、ビーム走査方式でページングメッセージを送信するため、オーバーヘッドが大きくなり、オーバーヘッドの節約方式は各ＰＯがページングできるＵＥの個数を増加させることであり、これによりページングメッセージの総送信回数を減少させる。この２種類の時間周波数リソースタイプのＰＯはそのリソースサイズが異なるため、差別化したページング能力を用いてもよいが、ＬＴＥにおいて、すべてのＵＥ（ＵＥ＿ＩＤに対応する）が各ＰＯに均一に区分される。
【００５８】
ＬＴＥを例とすれば、ＵＥ＿ＩＤ＝（ＩＭＳＩ  ｍｏｄ  １０２４）であり、すなわち、すべてのＩＭＳＩを１０２４個のＵＥグループに分け、各ＵＥグループ内のＵＥが同じＵＥ＿ＩＤに対応する。異なるＵＥ＿ＩＤはｉ＿ｓ＝ｆｌｏｏｒ（ＵＥ＿ＩＤ／Ｎ）ｍｏｄ  Ｎｓ公式によってその位置するＰＯを計算し、すなわち、ＰＯ＝ｆ（ＵＥ＿ＩＤ，Ｎ，Ｎｓ）である。ＬＴＥにおいて、ＵＥ＿ＩＤが異なるＰＯに均一に分布しており、例えば、ｎＢ＝３２であり、すなわち、１つのＤＲＸ周期（ＤＲＸ  ｃｙｃｌｅ）に３２個のＰＯがある場合、各ＰＯに１０２４／３２＝３２個のＵＥ＿ＩＤがある。
【００５９】
本発明の実施例では、ＵＥ＿ＩＤのＰＯでの分布が均一ではなく、以下に具体的な実施例を参照しながら本発明の実施例の技術案を説明する。
【００６０】
図８は本発明の実施例のページング時間の決定方法のフローチャート１であり、図８に示すように、前記ページング時間の決定方法は、
ユーザー装置が前記ユーザー装置の識別子、ページング時間単位の構成パラメータ及び事前設定されたルールに基づき、前記ユーザー装置に対応するページング時間単位を決定し、前記ページング時間単位が少なくとも第１タイプページング時間単位及び第２タイプページング時間単位を含み、異なるタイプのページング時間単位に対応する事前設定されたルールが異なるステップ８０１を含む。
【００６１】
一実施形態では、ユーザー装置の識別子がＩＭＳＩである。具体的に、前記ユーザー装置はＵＥ＿ＩＤ＝（ＩＭＳＩ  ｍｏｄ  Ｓ）関数によって前記ユーザー装置のＵＥ＿ＩＤを決定し、Ｓが予め設定された値を示し、Ｓが正の整数である。
【００６２】
例えば、Ｓ＝１０２４の場合、ＵＥ＿ＩＤ＝（ＩＭＳＩ  ｍｏｄ  １０２４）である。
【００６３】
更に、ユーザー装置が前記ユーザー装置のＵＥ＿ＩＤ、ページング時間単位の構成パラメータ及び事前設定されたルールに基づき、前記ユーザー装置に対応するページング時間単位を決定する。
【００６４】
本発明の実施例では、異なる事前設定されたルールは前記ユーザー装置が異なるタイプのページング時間単位に不均一に分布することを満足する。
【００６５】
一実施形態では、前記第１タイプページング時間単位が第１時間周波数リソースタイプに対応し、前記第２タイプページング時間単位が第２時間周波数リソースタイプに対応する。
【００６６】
上記技術案では、第１時間周波数リソースタイプと第２時間周波数リソースタイプとが異なり、ここで、第１時間周波数リソースタイプと第２時間周波数リソースタイプとが異なることは以下を意味する。
【００６７】
１）前記第１時間周波数リソースタイプに対応する時間周波数リソースサイズと前記第２時間周波数リソースタイプに対応する時間周波数リソースサイズとが異なる。
【００６８】
２）前記第１時間周波数リソースタイプ及びＳＳ  ｂｌｏｃｋの時間周波数リソースの多重化方式と前記第２時間周波数リソースタイプ及びＳＳ  ｂｌｏｃｋの時間周波数リソースの多重化方式とが異なる。
【００６９】
３）前記第１時間周波数リソースタイプに対応する時間周波数リソースサイズと前記第２時間周波数リソースタイプに対応する時間周波数リソースサイズとが異なり、且つ、前記第１時間周波数リソースタイプ及びＳＳ  ｂｌｏｃｋの時間周波数リソースの多重化方式と前記第２時間周波数リソースタイプ及びＳＳ  ｂｌｏｃｋの時間周波数リソースの多重化方式とが異なる。
【００７０】
上記技術案では、前記第１タイプページング時間単位が第１時間周波数リソースタイプに対応することは、
ＳＳ  ｂｌｏｃｋを送信するｎｏｍｉｎａｌ  ｒｅｓｏｕｒｃｅの位置するシンボルにおいて、第１タイプページング時間単位に対応する時間周波数リソースと前記ｎｏｍｉｎａｌ  ｒｅｓｏｕｒｃｅとが周波数分割されることを含む。
【００７１】
上記技術案では、前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む。
【００７２】
本発明の実施例では、前記ページング時間単位がＰＯ又はＰＯのうちの一部の時間単位を含む。
【００７３】
本発明の実施例では、前記ページング時間単位の構成パラメータは異なるタイプのページング時間単位での前記ユーザー装置の分布パラメータ、１つの伝送周期に含まれる異なる時間周波数リソースタイプに対応するページング時間単位の個数のうちの少なくとも１つを含む。更に、前記ユーザー装置がネットワークから前記ページング時間単位の構成パラメータを取得する。
【００７４】
一例では、ｎＢ＝  ｎＢ１＋ｎＢ２であり、前記ユーザー装置はｆ（ＵＥ＿ＩＤ，ｎＢ１，ｎＢ２）関数によって前記ユーザー装置に対応するページング時間単位を決定し、
ｆ関数が事前設定されたルールを示し、ＵＥ＿ＩＤ、ｎＢ１、ｎＢ２がｆ関数の入力パラメータ（すなわち、ページング時間単位の構成パラメータ）として、ＵＥ＿ＩＤ＝（ＩＭＳＩ  ｍｏｄ  １０２４）とそれぞれ示されており、
ｎＢ１が１つの伝送周期に含まれる第１時間周波数リソースタイプに対応するページング時間単位の個数を示し、
ｎＢ２が１つの伝送周期に含まれる第２時間周波数リソースタイプに対応するページング時間単位の個数を示す。
【００７５】
本発明の実施例では、異なる事前設定されたルールは前記ユーザー装置が異なるタイプのページング時間単位に不均一に分布することを満足する。すなわち、ＵＥ＿ＩＤは第１時間周波数リソースタイプにおける各ページング時間単位に分布する個数と第２時間周波数リソースタイプにおける各ページング時間単位に分布する個数とが異なる。
【００７６】
なお、ｆ関数の入力パラメータ（すなわち、ページング時間単位の構成パラメータ）は更に異なるタイプのページング時間単位での前記ユーザー装置の分布パラメータを含んでもよい。例えば、ＵＥ＿ＩＤは第１時間周波数リソースタイプに対応するページング時間単位に分布する総数と第２時間周波数リソースタイプに対応するページング時間単位に分布する総数とがそれぞれＮｘ１及びＮｘ２であり、Ｎｘ２／Ｎｘ１＝ｘである。これに基づき、第１時間周波数リソースタイプの各ＰＯに１０２４／（（１＋ｘ）ｎＢ１）個のＵＥ＿ＩＤが分布しており、第２時間周波数リソースタイプの各ＰＯに１０２４ｘ／（（１＋ｘ）ｎＢ１）個のＵＥ＿ＩＤが分布している。
【００７７】
本発明の実施例の技術案は上記例に限らず、他の方式でユーザー装置のページング時間単位での不均一な分布を実現することも本発明の実施例の保護範囲に属する。
【００７８】
例えば、１つのＤＲＸ  ｃｙｃｌｅにｎＢ＝１６個のページング時間単位があり、ＵＥ＿ＩＤ＝（ＩＭＳＩ  ｍｏｄ  １０２４）であり、すなわち、ユーザー装置のＵＥ＿ＩＤが合計して１０２４個あり、この１０２４個のＵＥ＿ＩＤの１６個のページング時間単位での分布が不均一であり、実際に応用するとき、ページングリソースの均一な割り当てを実現するよう、異なる応用シーンに基づいて各ページング時間単位に一定数のＵＥ＿ＩＤを設定してもよい。
【００７９】
図９は本発明の実施例のページング時間の決定装置の構造模式図１であり、図９に示すように、前記ページング時間の決定装置は、
前記ユーザー装置の識別子、ページング時間単位の構成パラメータ及び事前設定されたルールに基づき、前記ユーザー装置に対応するページング時間単位を決定するように構成される決定ユニット９０１を備え、
前記ページング時間単位が少なくとも第１タイプページング時間単位及び第２タイプページング時間単位を含み、異なるタイプのページング時間単位に対応する事前設定されたルールが異なる。
【００８０】
一実施形態では、異なる事前設定されたルールは前記ユーザー装置が異なるタイプのページング時間単位に不均一に分布することを満足する。
【００８１】
一実施形態では、前記第１タイプページング時間単位が第１時間周波数リソースタイプに対応し、前記第２タイプページング時間単位が第２時間周波数リソースタイプに対応する。
【００８２】
一実施形態では、前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号ブロック（ＳＳ  ｂｌｏｃｋ）の時間周波数リソースの多重化方式と前記第２時間周波数リソースタイプ及びＳＳ  ｂｌｏｃｋの時間周波数リソースの多重化方式とが異なる。
【００８３】
一実施形態では、前記第１タイプページング時間単位が第１時間周波数リソースタイプに対応することは、
ＳＳ  ｂｌｏｃｋを送信する公称リソース（ｎｏｍｉｎａｌ  ｒｅｓｏｕｒｃｅ）の位置するシンボルにおいて、第１タイプページング時間単位に対応する時間周波数リソースと前記ｎｏｍｉｎａｌ  ｒｅｓｏｕｒｃｅとが周波数分割されることを含む。
【００８４】
一実施形態では、前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む。
【００８５】
一実施形態では、前記ページング時間単位がＰＯ又はＰＯのうちの一部の時間単位を含む。
【００８６】
一実施形態では、前記ページング時間単位の構成パラメータは異なるタイプのページング時間単位での前記ユーザー装置の分布パラメータ、１つの伝送周期に含まれる異なる時間周波数リソースタイプに対応するページング時間単位の個数のうちの少なくとも１つを含む。
【００８７】
一実施形態では、前記装置は、更に、
ネットワークから前記ページング時間単位の構成パラメータを取得するように構成される取得ユニット９０２を備える。
【００８８】
当業者であれば、図９に示されるページング時間の決定装置の各ユニットの実現する機能は上記ページング時間の決定方法の関連説明を参照して理解されてもよいことを理解すべきである。図９に示されるページング時間の決定装置の各ユニットの機能はプロセッサにおいて実行されるプログラムにより実現されてもよく、具体的な論理回路により実現されてもよい。
【００８９】
図１０は本発明の実施例のページング時間の決定方法のフローチャート２であり、図１０に示すように、前記ページング時間の決定方法は以下のステップを含む。
【００９０】
ステップ１００１において、ネットワークがユーザー装置の識別子、ページング時間単位の構成パラメータ及び事前設定されたルールに基づき、前記ユーザー装置に対応するページング時間単位を決定し、前記ページング時間単位が少なくとも第１タイプページング時間単位及び第２タイプページング時間単位を含み、異なるタイプのページング時間単位に対応する事前設定されたルールが異なる。
【００９１】
本発明の実施例では、異なる事前設定されたルールは前記ユーザー装置が異なるタイプのページング時間単位に不均一に分布することを満足する。
【００９２】
本発明の実施例では、前記第１タイプページング時間単位が第１時間周波数リソースタイプに対応し、前記第２タイプページング時間単位が第２時間周波数リソースタイプに対応する。
【００９３】
本発明の実施例では、前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及びＳＳ  ｂｌｏｃｋの時間周波数リソースの多重化方式と前記第２時間周波数リソースタイプ及びＳＳ  ｂｌｏｃｋの時間周波数リソースの多重化方式とが異なる。
【００９４】
本発明の実施例では、前記第１タイプページング時間単位が第１時間周波数リソースタイプに対応することは、
ＳＳ  ｂｌｏｃｋを送信するｎｏｍｉｎａｌ  ｒｅｓｏｕｒｃｅの位置するシンボルにおいて、第１タイプページング時間単位に対応する時間周波数リソースと前記ｎｏｍｉｎａｌ  ｒｅｓｏｕｒｃｅとが周波数分割されることを含む。
【００９５】
本発明の実施例では、前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む。
【００９６】
本発明の実施例では、前記ページング時間単位がＰＯ又はＰＯのうちの一部の時間単位を含む。
【００９７】
本発明の実施例では、前記ページング時間単位の構成パラメータは異なるタイプのページング時間単位での前記ユーザー装置の分布パラメータ、１つの伝送周期に含まれる異なる時間周波数リソースタイプに対応するページング時間単位の個数のうちの少なくとも１つを含む。
【００９８】
ステップ１００２において、前記ネットワークが前記ページング時間単位に基づいてページングメッセージを送信する。
【００９９】
本発明の実施例では、前記方法は、更に、前記ネットワークが前記ページング時間単位の構成パラメータを前記ユーザー装置に通知することを含む。
【０１００】
当業者であれば、ネットワーク側がページング時間を決定する方式はユーザー装置側がページング時間を決定する方式に対応することを理解すべきである。
【０１０１】
図１１は本発明の実施例のページング時間の決定装置の構造模式図２であり、図１１に示すように、前記装置は、
ユーザー装置の識別子、ページング時間単位の構成パラメータ及び事前設定されたルールに基づき、前記ユーザー装置に対応するページング時間単位を決定するように構成される決定ユニット１１０１であって、前記ページング時間単位が少なくとも第１タイプページング時間単位及び第２タイプページング時間単位を含み、異なるタイプのページング時間単位に対応する事前設定されたルールが異なる決定ユニット１１０１と、
前記ページング時間単位に基づいてページングメッセージを送信するように構成される送信ユニット１１０２と、を備える。
【０１０２】
本発明の実施例では、異なる事前設定されたルールは前記ユーザー装置が異なるタイプのページング時間単位に不均一に分布することを満足する。
【０１０３】
本発明の実施例では、前記第１タイプページング時間単位が第１時間周波数リソースタイプに対応し、前記第２タイプページング時間単位が第２時間周波数リソースタイプに対応する。
【０１０４】
本発明の実施例では、前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及びＳＳ  ｂｌｏｃｋの時間周波数リソースの多重化方式と前記第２時間周波数リソースタイプ及びＳＳ  ｂｌｏｃｋの時間周波数リソースの多重化方式とが異なる。
【０１０５】
本発明の実施例では、前記第１タイプページング時間単位が第１時間周波数リソースタイプに対応することは、
ＳＳ  ｂｌｏｃｋを送信するｎｏｍｉｎａｌ  ｒｅｓｏｕｒｃｅの位置するシンボルにおいて、第１タイプページング時間単位に対応する時間周波数リソースと前記ｎｏｍｉｎａｌ  ｒｅｓｏｕｒｃｅとが周波数分割されることを含む。
【０１０６】
本発明の実施例では、前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む。
【０１０７】
本発明の実施例では、前記ページング時間単位がＰＯ又はＰＯのうちの一部の時間単位を含む。
【０１０８】
本発明の実施例では、前記ページング時間単位の構成パラメータは異なるタイプのページング時間単位での前記ユーザー装置の分布パラメータ、１つの伝送周期に含まれる異なる時間周波数リソースタイプに対応するページング時間単位の個数のうちの少なくとも１つを含む。
【０１０９】
本発明の実施例では、前記装置は、更に、
前記ページング時間単位の構成パラメータを前記ユーザー装置に通知するように構成される通知ユニット１１０３を備える。
【０１１０】
本発明の実施例に記載のページング時間の決定装置はソフトウェア機能モジュールの形式で実現され、独立した製品として販売又は使用されるときは、１つのコンピュータ可読記憶媒体に記憶されてもよい。このような理解に基づき、本発明の実施例の技術案の本質的又は従来技術に貢献する部分はソフトウェア製品の形式で具現されてもよく、該コンピュータソフトウェア製品は、１台のコンピュータ装置（パーソナルコンピュータ、サーバ又はネットワーク装置等）に本発明の各実施例に記載の方法の全部又は一部を実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されるものではない。
【０１１１】
それに対応して、本発明の実施例は更にコンピュータ記憶媒体を提供し、該コンピュータ記憶媒体にコンピュータ実行可能命令が記憶され、該コンピュータ実行可能命令がプロセッサにより実行されるとき、本発明の実施例に記載のページング時間の決定方法を実現する。
【０１１２】
図１２は本発明の実施例のユーザー装置の構造模式図であり、図１２に示すように、ユーザー装置１２０は１つ又は複数（図面に１つのみを示す）のプロセッサ１２０２（プロセッサ１２０２はマイクロコントローラユニット（ＭＣＵ：Ｍｉｃｒｏ  Ｃｏｎｔｒｏｌｌｅｒ  Ｕｎｉｔ）又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、それらに限らない）、データを記憶するためのメモリ１２０４、及び通信機能のための伝送装置１２０６を含んでもよい。当業者であれば理解されるように、図１２に示される構造は模式的なものであって、上記電子装置の構造を制限するためのものではない。例えば、ユーザー装置１２０は更に図１２より多く又は少ないコンポーネントを備え、又は図１２と異なる構成を有してもよい。
【０１１３】
メモリ１２０４はアプリケーションソフトウェアのソフトウェアプログラム及びモジュール、例えば本発明の実施例のページング時間の決定方法に対応するプログラム命令／モジュールを記憶することに用いられてもよく、プロセッサ１２０２はメモリ１２０４に記憶されるソフトウェアプログラム及びモジュールを実行することにより、様々な機能アプリケーション及びデータ処理を実行し、すなわち上記方法を実現する。メモリ１２０４は高速ランダムアクセスメモリを含んでもよく、更に不揮発性メモリ、例えば１つ又は複数の磁気記憶装置、フラッシュメモリ又は他の不揮発性固体メモリを含んでもよい。いくつかの実例では、メモリ１２０４は更にプロセッサ１２０２に対して遠隔設置されるメモリを含んでもよく、これらの遠隔メモリはネットワーク経由でユーザー装置１２０に接続されてもよい。上記ネットワークの実例はインターネット、イントラネット、ローカルエリアネットワーク、移動通信ネットワーク及びそれらの組み合わせを含むが、それらに限らない。
【０１１４】
伝送装置１２０６はネットワーク経由でデータを送受信することに用いられる。上記ネットワークの具体的な実例はユーザー装置１２０の通信プロバイダの提供する無線ネットワークを含んでもよい。１つの実例では、伝送装置１２０６は基地局によって他のネットワーク装置に接続されることでインターネットと通信することのできる１つのネットワークインターフェースコントローラ（ＮＩＣ：Ｎｅｔｗｏｒｋ  Ｉｎｔｅｒｆａｃｅ  Ｃｏｎｔｒｏｌｌｅｒ）を備える。１つの実例では、無線方式でインターネットと通信するための伝送装置１２０６は無線周波数（ＲＦ：Ｒａｄｉｏ  Ｆｒｅｑｕｅｎｃｙ）モジュールであってもよい。
【０１１５】
衝突しない限り、本発明の実施例に記載の技術案同士は任意に組み合わせられてもよい。
【０１１６】
本発明に係るいくつかの実施例では、開示される方法及びスマート機器は他の方式で実現されてもよいことを理解すべきである。以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される各構成部分間の結合又は直接結合又は通信接続はいくつかのインターフェース、装置又はユニットによる間接結合又は通信接続であってもよく、電気、機械又は他の形式であってもよい。
【０１１７】
分離部材として説明される上記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよく、実際の必要に応じて、その一部又は全部のユニットを選択して本実施例案の目的を実現してもよい。
【０１１８】
また、本発明の各実施例では、各機能ユニットはすべて１つの第２処理ユニットに統合されてもよく、各ユニットはそれぞれ独立して１つのユニットとされてもよく、２つ又は２つ以上のユニットは１つのユニットに統合されてもよく、上記統合されたユニットはハードウェアの形式で実現されてもよく、ハードウェアプラスソフトウェア機能ユニットの形式で実現されてもよい。
【０１１９】
以上の説明は本発明の具体的な実施形態であって、本発明の保護範囲を制限するためのものではなく、当業者が本発明に開示される技術的範囲内で容易に想到し得る変更や置換は、いずれも本発明の保護範囲内に含まれるべきである。
【図１】
2021511692.tif 000004
【図２】
2021511692.tif 000005
【図３】
2021511692.tif 000006
【図４】
2021511692.tif 000007
【図５】
2021511692.tif 000008
【図６】
2021511692.tif 000009
【図７】
2021511692.tif 000010
【図８】
2021511692.tif 000011
【図９】
2021511692.tif 000012
【図１０】
2021511692.tif 000013
【図１１】
2021511692.tif 000014
【図１２】
2021511692.tif 000015
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
ページング時間の決定方法であって、
ユーザー装置が前記ユーザー装置の識別子、ページング時間単位の構成パラメータ及び事前設定されたルールに基づき、前記ユーザー装置に対応するページング時間単位を決定することを含み、
前記ページング時間単位が少なくとも第１タイプページング時間単位及び第２タイプページング時間単位を含み、異なるタイプのページング時間単位に対応する事前設定されたルールが異なる、前記ページング時間の決定方法。
【請求項２】
前記異なる事前設定されたルールは、前記ユーザー装置が異なるタイプのページング時間単位に不均一に分布することを満足する
請求項１に記載の方法。
【請求項３】
前記第１タイプページング時間単位が第１時間周波数リソースタイプに対応し、前記第２タイプページング時間単位が第２時間周波数リソースタイプに対応する
請求項１に記載の方法。
【請求項４】
前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号ブロック（ＳＳ  ｂｌｏｃｋ）の時間周波数リソースの多重化方式と前記第２時間周波数リソースタイプ及びＳＳ  ｂｌｏｃｋの時間周波数リソースの多重化方式とが異なる
請求項３に記載の方法。
【請求項５】
前記ページング時間単位がページング時点（ＰＯ）又はＰＯのうちの一部の時間単位を含む
請求項１〜４のいずれか１項に記載の方法。
【請求項６】
ページング時間の決定方法であって、
ネットワークがユーザー装置の識別子、ページング時間単位の構成パラメータ及び事前設定されたルールに基づき、前記ユーザー装置に対応するページング時間単位を決定することであって、前記ページング時間単位が少なくとも第１タイプページング時間単位及び第２タイプページング時間単位を含み、異なるタイプのページング時間単位に対応する事前設定されたルールが異なることと、
前記ネットワークが前記ページング時間単位に基づいてページングメッセージを送信することと、を含む、前記ページング時間の決定方法。
【請求項７】
前記第１タイプページング時間単位が第１時間周波数リソースタイプに対応し、前記第２タイプページング時間単位が第２時間周波数リソースタイプに対応する
請求項６に記載の方法。
【請求項８】
前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号ブロック（ＳＳ  ｂｌｏｃｋ）の時間周波数リソースの多重化方式と前記第２時間周波数リソースタイプ及びＳＳ  ｂｌｏｃｋの時間周波数リソースの多重化方式とが異なる
請求項７に記載の方法。
【請求項９】
前記ページング時間単位がページング時点（ＰＯ）又はＰＯのうちの一部の時間単位を含む
請求項６〜８のいずれか１項に記載の方法。
【請求項１０】
ページング時間の決定装置であって、
前記ユーザー装置の識別子、ページング時間単位の構成パラメータ及び事前設定されたルールに基づき、前記ユーザー装置に対応するページング時間単位を決定するように構成される決定ユニットを備え、
前記ページング時間単位が少なくとも第１タイプページング時間単位及び第２タイプページング時間単位を含み、異なるタイプのページング時間単位に対応する事前設定されたルールが異なる、前記ページング時間の決定装置。
【請求項１１】
異なる事前設定されたルールは前記ユーザー装置が異なるタイプのページング時間単位に不均一に分布することを満足する
請求項１０記載の装置。
【請求項１２】
前記第１タイプページング時間単位が第１時間周波数リソースタイプに対応し、前記第２タイプページング時間単位が第２時間周波数リソースタイプに対応する
請求項１０に記載の装置。
【請求項１３】
前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号ブロック（ＳＳ  ｂｌｏｃｋ）の時間周波数リソースの多重化方式と前記第２時間周波数リソースタイプ及びＳＳ  ｂｌｏｃｋの時間周波数リソースの多重化方式とが異なる
請求項１２に記載の装置。
【請求項１４】
前記第１タイプページング時間単位が第１時間周波数リソースタイプに対応することは、
ＳＳ  ｂｌｏｃｋを送信する公称リソース（ｎｏｍｉｎａｌ  ｒｅｓｏｕｒｃｅ）の位置するシンボルにおいて、第１タイプページング時間単位に対応する時間周波数リソースと前記ｎｏｍｉｎａｌ  ｒｅｓｏｕｒｃｅとが周波数分割されることを含む
請求項１２又は１３に記載の装置。
【請求項１５】
前記第２タイプページング時間単位が第２時間周波数リソースタイプに対応することは、
ＳＳ  ｂｌｏｃｋを送信しないｎｏｍｉｎａｌ  ｒｅｓｏｕｒｃｅの位置するシンボルにおいて、第２タイプページング時間単位に対応する時間周波数リソースが前記ｎｏｍｉｎａｌ  ｒｅｓｏｕｒｃｅの位置する時間周波数リソースを含むことが可能であることを含む
請求項１２又は１３に記載の装置。
【請求項１６】
前記ページング時間単位がページング時点（ＰＯ）又はＰＯのうちの一部の時間単位を含む
請求項１０〜１５のいずれか１項に記載の装置。
【請求項１７】
ページング時間の決定装置であって、
ユーザー装置の識別子、ページング時間単位の構成パラメータ及び事前設定されたルールに基づき、前記ユーザー装置に対応するページング時間単位を決定するように構成される決定ユニットであって、前記ページング時間単位が少なくとも第１タイプページング時間単位及び第２タイプページング時間単位を含み、異なるタイプのページング時間単位に対応する事前設定されたルールが異なる決定ユニットと、
前記ページング時間単位に基づいてページングメッセージを送信するように構成される送信ユニットと、を備える、前記ページング時間の決定装置。
【請求項１８】
前記第１タイプページング時間単位が第１時間周波数リソースタイプに対応し、前記第２タイプページング時間単位が第２時間周波数リソースタイプに対応する
請求項１７に記載の装置。
【請求項１９】
前記第１時間周波数リソースタイプに対応する時間周波数リソースサイズと前記第２時間周波数リソースタイプに対応する時間周波数リソースサイズとが異なり、
及び／又は、
前記第１時間周波数リソースタイプ及び同期信号ブロック（ＳＳ  ｂｌｏｃｋ）の時間周波数リソースの多重化方式と前記第２時間周波数リソースタイプ及びＳＳ  ｂｌｏｃｋの時間周波数リソースの多重化方式とが異なる
請求項１８に記載の装置。
【請求項２０】
前記ページング時間単位がページング時点（ＰＯ）又はＰＯのうちの一部の時間単位を含む
請求項１７〜１９のいずれか１項に記載の装置。
【国際調査報告】
2021511692.tif 000016
2021511692.tif 000017
2021511692.tif 000018
2021511692.tif 000019